【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
再走査によって、身体（７７）内に位置する、動いている標的体積（３４、５５）を粒子ビーム照射設備（１０）により照射するための照射計画方法であって、
前記動きの基準状態において前記標的体積を規定するステップ（１０２）と、
粒子ビームにより個々にアプローチすることができる複数の標的点（３０）間で前記標的体積を分割するステップ（１０３）と、
前記標的体積の前記標的点がアプローチされる再走査パス数を規定するステップ（１０４）と、
前記標的体積の前記標的点において堆積すべき前記標的点ごとの名目線量（５８）を計算するステップ（１０５）と、
動きモデルに基づいて、前記標的体積の前記標的点の予期される平均的な動き（３６、５０）を計算するステップ（１０６）と、
前記照射計画において前記標的体積の前記標的点の前記予期される平均的な動きを考慮に入れるステップであって、これは、標的点ごとの前記名目線量からの、前記予期される線量堆積（６０）の前記偏差が求められ、該偏差に基づいて標的点ごとの前記名目線量が補正され、補正された名目線量（６２）が生成される（１０７）ようにして行われる、ステップと、
前記照射設備のための制御パラメーターを生成するステップ（１０８）であって、前記制御パラメーターは標的点及び再走査パスあたりの付与される粒子カウントを含む、ステップと、
を有し、
患者モデル、数学関数及び／又は呼吸の研究が前記動きモデルを決定するために考慮に入れられ、
様々な動き状態における前記補正された名目線量（６２）は、前記再走査パス間で分割される、照射計画方法。
【請求項２】
前記標的体積（３４、５５）の前記動きモデルは様々な動き状態を有し、標的点あたりの前記名目線量は、前記動き状態に応じて重み付けされて、前記再走査パス間で分割される、請求項１に記載の照射計画方法。
【請求項３】
前記標的体積（３４、５５）の前記動きモデルは周期的であり、前記基準状態は繰り返し生じ、それによって、標的点あたりの前記名目線量は前記動きモデルへの前記再走査パスの時間に基づく結合を通じて前記再走査パス間で均等に分割される、請求項１又は２に記載の照射計画方法。
【請求項４】
前記標的体積（３４、５５）の前記標的点（３０）の予期される線量分布は、前記粒子ビーム（２０）の等エネルギー層（３４１、３４２、３４３、３４４、３４５、３４６、３４７）について計算される、請求項１〜３のいずれか１項に記載の照射計画方法。
【請求項５】
等エネルギー層（３４１、３４２、３４３、３４４、３４５、３４６、３４７）は、規定された動き状態の発生時に前記粒子ビーム（２０）によってそれぞれアプローチされる、請求項１〜４のいずれか１項に記載の照射計画方法。
【請求項６】
再走査によって、身体内に位置する、動いている標的体積（３４、５５）を粒子ビーム照射設備（１０）により照射する方法であって、
例えば、請求項１〜５のいずれか１項に記載の方法を用いて制御パラメーターを生成するステップであって、前記照射計画において、動きモデルによって前記標的体積（３４、５５）の前記標的点（３０）の前記予期される平均的な動きが考慮に入れられ、これは、標的点ごとの前記名目線量からの、前記予期される線量堆積（６０）の前記偏差が求められ、該偏差に基づいて標的点ごとの前記名目線量が補正され、補正された名目線量（６２）が生成されるようにして行われる、ステップと、
前記照射に先立って生成された前記制御パラメーターを有する前記照射計画を制御ユニット（８６）にロードするステップ（１１１）と、
動き感知装置（８２）を用いて前記照射の経過中に前記標的体積の前記動きを検出する（１１２）とともに、前記動き感知装置によって追加の制御パラメーターを生成する（１１３）ステップと、
前記標的体積の前記動きを考慮に入れて前記粒子ビームを用いて前記標的体積を照射するために、前記照射計画に記憶されている前記制御パラメーター、及び前記追加の制御パラメーターによって前記粒子ビーム（２０）を制御するステップ（１１４）と、
を有し、
患者モデル、数学関数及び／又は呼吸の研究が前記動きモデルを決定するために考慮に入れられ、
様々な動き状態における前記補正された名目線量（６２）は、前記再走査パス間で分割される、方法。
【請求項７】
前記粒子ビーム（２０）の前記粒子カウントは、前記照射計画に記憶されている前記制御パラメーター、及び前記動き感知装置（８２）を用いて生成された前記追加の制御パラメーターによって変更される、請求項６に記載の方法。
【請求項８】
前記標的体積（３４、５５）の前記動きは様々な動き状態を有し、標的点あたりの前記名目線量は、前記動き状態に応じて重み付けされて、前記再走査パス間で分割される、請求項６又は７に記載の照射方法。
【請求項９】
前記標的体積（３４、５５）の前記動きは周期的であり、前記基準状態は繰り返し生じ、それによって、標的点あたりの前記名目線量は前記動きへの前記再走査パスの時間に基づく結合を通じて前記再走査パス間で均等に分割される、請求項６〜８のいずれか１項に記載の照射方法。
【請求項１０】
前記標的体積（３４、５５）の前記標的点（３０）の予期される線量分布は、前記粒子ビーム（２０）の等エネルギー層（３４１、３４２、３４３、３４４、３４５、３４６、３４７）について計算される、請求項６〜９のいずれか１項に記載の照射方法。
【請求項１１】
等エネルギー層（３４１、３４２、３４３、３４４、３４５、３４６、３４７）は、規定された動き状態の発生時に前記粒子ビーム（２０）によってそれぞれアプローチされる、請求項６〜１０のいずれか１項に記載の照射方法。
【請求項１２】
照射設備であって、
加速器ユニット（１５）と、
例えば、請求項１に記載の方法を用いて計算された制御ユニット（８６）のための制御パラメーターを提供するデータセットを生成する装置（８１）であって、該装置によって、動きモデルを考慮に入れながら、複数の再走査パス間で分割される補正された線量分布（６２）を標的体積（３４、５５）に堆積させることができる、装置と、
前記粒子ビームを用いた前記照射の前又は前記照射中に、前記標的体積（３４、５５）の前記動きを感知する動き感知装置（８２）であって、該動き感知装置によって、補正された追加の制御パラメーターを生成することができ、該追加の制御パラメーターを、前記照射設備を制御するのに利用可能にすることができるようになっている、動き感知装置と、
前記標的体積の前記動きを考慮に入れて、前記粒子ビームを用いて前記標的体積に補正された線量分布（６４）を投与するために、前記制御パラメーター及び前記追加の制御パラメーターを用いて前記加速器ユニットを制御する、制御ユニット（８６）と、
を備え、
患者モデル、数学関数及び／又は呼吸の研究が前記動きモデルを決定するために考慮に入れられ、
前記照射設備（１０）の前記制御ユニット（８６）は、様々な動き状態において前記補正された名目線量（６２）を前記再走査パス間で分割するように構成される、照射設備。
【請求項１３】
前記粒子ビーム（２０）の前記粒子カウントは、前記照射計画に記憶されている前記制御パラメーター、及び前記動き感知装置（８２）によって生成された前記追加の制御パラメーターによって変更される、請求項１２に記載の照射設備。
【請求項１４】
前記照射設備（１０）の前記制御ユニット（８６）は、標的点（３０）あたりの前記名目線量を、前記動き状態に応じて重み付けして、前記再走査パス間で分割するように構成される、請求項１２又は１３に記載の照射設備。
【請求項１５】
前記動き感知装置（８２）は、前記基準状態に基づいて、前記標的体積（３４、５５）の周期的な動きを検出し、
前記照射設備（１０）の前記制御ユニット（８６）は、標的点（３０）あたりの前記補正された名目線量（６２）を、前記動きモデルへの前記再走査パスの時間に基づく結合を通じて前記再走査パス間で均等に分散させるように構成される、請求項１２〜１４のいずれか１項に記載の照射設備。
【請求項１６】
前記照射設備（１０）の前記制御ユニット（８６）は、前記補正された線量分布（６２）に対応する粒子カウントを用いて、前記粒子ビーム（２０）の等エネルギー層（３４１、３４２、３４３、３４４、３４５、３４６、３４７）における前記標的体積（３４、５５）の前記標的点（３０）にアプローチするように構成される、請求項１２〜１５のいずれか１項に記載の照射設備。
【請求項１７】
前記照射設備（１０）の前記制御ユニット（８６）は、前記動き感知装置（８２）の前記追加の制御パラメーターに基づいて、規定された動き状態の発生時に前記粒子ビーム（２０）を用いて各等エネルギー層（３４１、３４２、３４３、３４４、３４５、３４６、３４７）にアプローチするように構成される、請求項１６に記載の照射設備。